(57)【要約】【課題】  ＲＦ−ＩＤに記載されている電話番号を使用して自動発信するボタン電話装置を提供する。【解決手段】  複数の外線および１以上の内線を収容するボタン電話主装置１０と、内線に接続される１以上のボタン電話機２０からなるボタン電話装置において、ボタン電話主装置１０に、ボタン電話機から受信したアドレス帳情報を記憶する記憶部１６と、外線発信制御機能１１を備え、ボタン電話機２０に、ダイヤルデータを含む個人情報が格納されたＲＦ−ＩＤとの間でデータを送受信するＲＦ−ＩＤ書込／読出部２２１、２２２と、データの読み込みの開始を指示するＲＦ−ＩＤ読込キー２６と、ダイヤルデータに基づいた発信を指示する発信キー２９を有し、ボタン電話主装置へボタン電話機がＲＦ−ＩＤから読み込んだダイヤルデータを送信した後、発信キーが操作されると、ボボタン電話機から受信したダイヤルデータの発信先に発信処理を行う。【選択図】      図２
2005318216.tif 000002
【特許請求の範囲】
【請求項１】
複数の外線および１以上の内線を収容するボタン電話主装置と、前記内線に接続される１以上のボタン電話機からなるボタン電話装置において、
前記ボタン電話主装置は、ボタン電話機から受信した発信先ダイヤルデータを記述したアドレス帳情報を記憶する記憶部と、外線発信制御機能を有し、
ボタン電話機は、ダイヤルデータを含む個人情報が格納されたＲＦ−ＩＤ付きカードとの間でデータを送受信するＲＦ−ＩＤ書込／読出部と、ＲＦ−ＩＤ付きカードからデータの読み込みの開始を指示するＲＦ−ＩＤ読込キーと、ボタン電話主装置との間でデータを送受信するデータ送受信回路と、ダイヤルデータに基づいた発信を指示する発信キーを有し、
ボタン電話主装置へボタン電話機がＲＦ−ＩＤ付きカードから読み込んだダイヤルデータを送信した後、発信キーが操作されたことを示す信号が送信されると、ボタン電話主装置が、ボタン電話機から受信したダイヤルデータの発信先に発信処理を行うことを特徴とするボタン電話装置。
【請求項２】
請求項１記載のボタン電話装置において、
ボタン電話主装置が、ボタン電話機から受信したダイヤルデータをアドレス帳情報記憶部に格納する機能と、アドレス帳情報を読み出す機能を有し、
ボタン電話機が、ＲＦ−ＩＤ付きカードへデータの書き込みの開始を指示するＲＦ−ＩＤ書込キーと、アドレス帳の転送を要求するアドレス帳要求キーを有し、
ボタン電話主装置が、ボタン電話機からアドレス帳要求を受信するとアドレス帳データを読み出してボタン電話器に送信し、ボタン電話機が、ＲＦ−ＩＤ書込キーの操作により受信したアドレス帳データをＲＦ−ＩＤ付きカードに書き込むことを特徴とするボタン電話装置。
【請求項３】
請求項１または請求項２記載のボタン電話装置において、
ボタン電話主装置が、ボタン電話機に対応した在席情報を格納する在席情報記憶部と、在席情報を各内線へ送出する機能を有し、
ボタン電話機が、ＲＦ−ＩＤ付きカードから読み込んだ当該ボタン電話機の利用者の個人情報をボタン電話主装置は転送する機能と、在席情報を表示する手段を有したワンタッチ発信キーを有し、
ボタン電話機から当該ボタン電話機の利用者の個人情報を受信すると、
当該ボタン電話機の使用者が在席している在席情報を他のボタン電話機へ発信する
ことを特徴とするボタン電話装置。
【発明の詳細な説明】
【技術分野】
【０００１】
本発明は、１以上の外線および複数の内線を収容するボタン電話主装置と、前記内線に接続される複数のボタン電話機からなるボタン電話システムに関し、ボタン電話機にＲＦ−ＩＤ付きカードに記憶されたデータを読み込む機能、および／または、データを書き込むことが可能なＲＦ−ＩＤ付きカードへ書き込む機能を備え、ＲＦ−ＩＤに記憶されたデータを元に、自動発信や在席確認などのサービスを提供するボタン電話システムに関する。
【背景技術】
【０００２】
従来、ボタン電話装置は、キー操作によりダイヤル発信を行うものであり、通話する相手の名刺を見ながらダイヤルを手動で操作して発信を行っている。また、個別ＩＤを記憶したＲＦ−ＩＤなどを使用して、情報の管理に使用しているケースがある（例えば、特許文献１参照）。
【特許文献１】特開２００３−２３３７１２号公報
【発明の開示】
【発明が解決しようとする課題】
【０００３】
本発明は、ボタン電話装置において、顧客から入手したＲＦ−ＩＤ付きカード（名刺）に記載されている電話番号を使用して自動発信できるボタン電話装置を提供することを目的とする。また、本発明は、前記ＲＦ−ＩＤ付きカードの電話番号を使用して作成したアドレス帳の電話番号を外部に持ち出し可能にすることを目的とする。さらに、在席確認を行うことができるボタン電話機を提供することを目的とする。
【課題を解決するための手段】
【０００４】
上記課題を解決するために、本発明は、ボタン電話主装置に、ボタン電話機から送られてきた電話番号と発信先のデータ（アドレス帳）をデータベースとして管理する機能、個人用のカードのデータを受信した際、どのボタン電話機から送られたのかを判断し、データを送った個人の在席を認識し、各ボタン電話機へ通知する機能、ボタン電話主装置で管理している電話番号と発信先のデータ（アドレス帳）を一括して要求の合ったボタン電話機へ送信する機能を備えた。
【０００５】
さらに、ボタン電話機に、ＲＦ−ＩＤにデータを記憶したカードからのデータを読み出す機能、このデータを用いてダイヤルの自動発信を行う機能、このデータをボタン電話主装置へ送る機能、ボタン電話主装置から送られたアドレス帳データを、ＲＦ−ＩＤを持ったカードへ書き込む機能、ボタン電話主装置から送られた在席情報を受信し、パネルのＬＥＤに表示して在席の有無を通知する機能を備えた。
【０００６】
本発明は、上記ボタン電話装置において、ボタン電話主装置が、ボタン電話機に対応した在席情報を格納する在席情報記憶部と、在席情報を各内線へ送出する機能を有し、ボタン電話機が、ＲＦ−ＩＤ付きカードから読み込んだ当該ボタン電話機の利用者の個人情報をボタン電話主装置は転送する機能と、在席情報を表示する手段を有したワンタッチ発信キーを有し、ボタン電話機から当該ボタン電話機の利用者の個人情報を受信すると、当該ボタン電話機の使用者が在席している在席情報を他のボタン電話機へ発信するようにした。
【０００７】
本発明は、複数の外線および１以上の内線を収容するボタン電話主装置と、前記内線に接続される１以上のボタン電話機からなるボタン電話装置において、前記ボタン電話主装置は、ボタン電話機から受信した発信先ダイヤルデータを記述したアドレス帳情報を記憶する記憶部と、外線発信制御機能を有し、ボタン電話機は、ダイヤルデータを含む個人情報が格納されたＲＦ−ＩＤ付きカードとの間でデータを送受信するＲＦ−ＩＤ書込／読出部と、ＲＦ−ＩＤ付きカードからデータの読み込みの開始を指示するＲＦ−ＩＤ読込キーと、ボタン電話主装置との間でデータを送受信するデータ送受信回路と、ダイヤルデータに基づいた発信を指示する発信キーを有し、ボタン電話主装置へボタン電話機がＲＦ−ＩＤ付きカードから読み込んだダイヤルデータを送信した後、発信キーが操作されとことを示す信号が送信されると、ボタン電話主装置が、ボタン電話機から受信したダイヤルデータの発信先に発信処理を行うようにした。
【０００８】
本発明は、上記ボタン電話装置において、ボタン電話主装置が、ボタン電話機から受信したダイヤルデータをアドレス帳情報記憶部に格納する機能と、アドレス帳情報を読み出す機能を有し、ボタン電話機が、ＲＦ−ＩＤ付きカードへデータの書き込みの開始を指示するＲＦ−ＩＤ書込キーと、アドレス帳の転送を要求するアドレス帳要求キーを有し、ボタン電話主装置が、ボタン電話機からアドレス帳要求を受信するとアドレス帳データを読み出してボタン電話器に送信し、ボタン電話機が、ＲＦ−ＩＤ書込キーの操作により受信したアドレス帳データをＲＦ−ＩＤ付きカードに書き込むようにした。
【発明の効果】
【０００９】
本発明は、ＲＦ−ＩＤ付きカードに記憶したデータを読み取ることができる電話機としたことによって、ＲＦ−ＩＤ付きカードから電話番号データを読み取ったボタン電話機は、ボタン電話主装置へ電話番号データを送信するとともに、ダイヤルを自動発信することができ、手動でのダイヤル発信を行わなくても発信することができる。主装置へ送られた電話番号データをアドレス帳としてＲＦ−ＩＤ付きカードへ書き込んで、他のデータも利用することができる。
【００１０】
また、個人情報が記憶されているＲＦ−ＩＤ付きカードをボタン電話機へ読み込ませることにより、そのデータをボタン電話主装置へ送信する。個人情報を受信したボタン電話主装置は、在席情報として他のボタン電話機へ送信して、在席情報を受信したボタン電話機は、送信元のユーザが在席していることをＬＥＤで表示することにより当該ボタン電話機のユーザに通知することができる。
【発明を実施するための最良の形態】
【００１１】
以下、本発明の実施形態について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりにボタン電話主装置とボタン電話機との間を、無線を介して接続する無線式ボタン電話機を用いることができる。また、本発明は、ボタン電話装置で実施するだけでなく、ボタン電話機を収容する構内交換機で実施しても良い。さらに、本発明は、ＩＰ電話にも適用することができる。
【００１２】
本発明は、ＲＦ−ＩＤ付きカードを用いることを特徴としている。ＲＦ−ＩＤ（Ｒａｄｉｏ  Ｆｒｅｑｕｅ−Ｉｄｅｎｔｉｆｉｃａｔｉｏｎ）は、携帯容易な大きさの回路であり、情報を電子回路に記憶することができ、非接触通信により交信することができる。
【００１３】
カードに取り付けられたＲＦ−ＩＤに記憶されるＲＦ−ＩＤデータの構成例を図４に示す。ＲＦ−ＩＤデータは、ＩＤタグと、個人情報かアドレス帳データかを識別する個人／アドレス帳データ識別子と、電話番号が記述されている。例えば、個人／アドレス帳データ識別子は、“０”が個人情報を、“１”がアドレス帳データを、それぞれ示している。
【００１４】
図１を用いて、本発明にかかるボタン電話装置を構成するボタン電話機の外部形状を説明する。ボタン電話機２０は、ハンドセット２１と、ＲＦ−ＩＤデータ書込／読出ポット２２と、ＬＣＤ表示部２３と、在席通知ＬＥＤ付きワンタッチダイヤル２４と、アドレス帳割当ダイヤル２５と、ＲＦ−ＩＤカード読込キー２６と、ＲＦ−ＩＤカード書込キー２７と、ダイヤルキー２８と、発信キーおよびオフフックキー２９と、切断キーおよびオンフックキー３０とを有している。
【００１５】
本発明に係るボタン電話装置を構成するボタン電話主装置１０と、ボタン電話機２０の構成を示す図２を用いて、ボタン電話装置の概要を説明する。ボタン電話装置は、複数の外線および１以上の内線を収容するボタン電話主装置１０と、該ボタン電話主装置１０に接続された１以上のボタン電話機２０−１〜２０−ｎから構成される。
【００１６】
ボタン電話主装置１０は、少なくとも、中央制御部１１と、通話路スイッチ１２と、複数の外線回路１３−１〜１３−ｎと、１以上の内線回路１５−１〜１５−ｎと、記憶部１６とを有して構成される。
【００１７】
中央制御部１１は、ボタン電話主装置１０の各回路からの入力情報（ボタン電話機２０からの情報も含む）に対する解析や判断、記憶部１６に対する情報の入出力、各回路の制御、在席通知の制御を行う。
【００１８】
通話路スイッチ１２は、ボタン電話主装置１０内の交換処理（外線と内線の接続、外線と外線の接続、他）を行う。
【００１９】
外線回路１３−１〜１３−ｎは、外線に接続されるインタフェース回路である。なお、本発明で開示している外線とは、一般公衆回線、ＩＰ電話事業者の回線、専用線、私設線、携帯電話等の無線使用回線（無線／有線変換アダプタ使用）、等も含まれる。
【００２０】
内線回路１５−１〜１５−ｎは、ボタン電話機２０−１〜２０−ｎと音声データ、制御データの通信を行うためのインタフェース回路である。
【００２１】
記憶部１６は、通常の記憶部としての働きの他に、発着信ダイヤル情報、アドレス帳情報および在席情報が格納される。
【００２２】
また、ボタン電話機２０は、少なくとも、送受話器２１と、ＲＦ―ＩＤ書込部２２１と、ＲＦ―ＩＤ読込部２２２と、ＬＣＤ表示器２３と、在席ＬＥＤ付きキー２４と、アドレス帳ダイヤルキー２５と、ＲＦ―ＩＤ読込キー２６と、ＲＦ―ＩＤ書込キー２７と、ダイヤルキー２８と、発信キー２９と、切断キー３０と、制御部３１と、データ送受信回路３２と、音声処理部３３と、スピーカ３４とを有して構成される。
【００２３】
送受話器２１は、一般的な通話時の送話、受話を行うためのハンドセットである。
【００２４】
ＲＦ―ＩＤ書込部２２１は、ＲＦ−ＩＤカードにアドレス帳データなどを書き込む手段である。
【００２５】
ＲＦ―ＩＤ読込部２２２は、ＲＦ−ＩＤカードからアドレス帳データなどを読み込む手段である。
【００２６】
ＬＣＤ表示器２３は、電話番号、通話時間等を表示する。また、留守設定時に、例えば“留守録設定中”などの可視表示を行う。
【００２７】
在席ＬＥＤ付きキー２４は、内線へのワンタッチダイヤルキーであり、在席の有無をＬＥＤに表示する働きを有している。
【００２８】
アドレス帳ダイヤルキー２５は、ボタン電話主装置１０内に設けたアドレス帳を読み出して所定の相手に発信するワンタッチダイヤルキーである。
【００２９】
ＲＦ―ＩＤ読込キー２６は、ＲＦ−ＩＤカードからアドレス帳データなどの読み込みを指示する手段である。
【００３０】
ＲＦ―ＩＤ書込キー２７は、ＲＦ−ＩＤカードにアドレス帳データなどの書き込みを指示する手段である。
【００３１】
ダイヤルキー２８は、電話番号を入力する手段であり、また、各種設定の入力手段としても用いられる。
【００３２】
発信キー２９は、入力されたダイヤルの発信キーとしての働きと、オフフックキーとしての働きを有している。
【００３３】
切断キー３０は、通話を切断する切断キーとしての働きと、オンフックキーとしての機能を有している。
【００３４】
制御部３１は、ボタン電話機２０内の各回路からの入力情報に対する解析や判断、各回路の制御を行う。
【００３５】
データ送受信回路３２は、内線を介してボタン電話主装置１０と音声データ、制御データの通信を行うためのインタフェース回路である。
【００３６】
音声処理部３３は、音声のデジタル／アナログ変換、アナログ／デジタル変換と、ボタン電話機２０内の送受話器２１やスピーカ３４等との通話路切替および音量を制御する。
【００３７】
送受話器２１は、一般的な通話時の送話、受話を行うためのハンドセットである。
【００３８】
スピーカ３４は、内線／外線の着信音の送出や、スピーカによる拡声受話等に使用する可聴音送出手段である。
【００３９】
次に、本発明に係るボタン電話主装置１０の中央制御部１１と記憶部１６の機能構成を、図３を用いて説明する。ボタン電話主装置１０は、中央制御部１１が、少なくとも、外線回路制御手段Ｆ４０と、通話路制御手段Ｆ４２と、データ送受信手段Ｆ４３と、受信分析手段Ｆ４４と、在席通知手段Ｆ４６と、発信制御手段Ｆ４９と、アドレス帳発信手段Ｆ５０とを有しており、記憶部１６には、アドレス帳情報Ｆ４５と、在席情報Ｆ４７と、発着信ダイヤル情報Ｆ４８が格納される。
【００４０】
外線回路制御手段Ｆ４０は、外線発着信の制御を行い、外線発信通知を受けると、外線回路１３を発信状態にする指示を出す機能を有している。
【００４１】
通話路制御手段Ｆ４２は、発信制御手段Ｆ４９から通知を受けると、外線回路１３と内線回路１５を双方向で接続する指示を通話路スイッチ１２へ出す機能を有している。
【００４２】
データ送受信手段Ｆ４３は、各手段よりボタン電話機２０へ送出する情報を受けると、内線回路１５を経由してボタン電話機２０へ情報を送出する機能を有している。
【００４３】
受信分析手段Ｆ４４は、データ送受信手段Ｆ４３から受信したデータを分析して、外線終話情報、在席情報、アドレス帳要求情報、ＲＦ−ＩＤ情報を取得する手段である。
【００４４】
在席通知手段Ｆ４６は、在席情報Ｆ４７を取り出して各ボタン電話機２０へ通知する手段である。
【００４５】
発信制御手段Ｆ４９は、発信キー２９が押し下げられたときにダイヤル入力された発信先電話番号へ発信する手段である。
【００４６】
アドレス帳発信手段Ｆ５０は、ボタン電話機２０のアドレス帳ダイヤルキー２５の押し下げがあったときに、アドレス帳情報Ｆ４５から取り出した発信先電話番号へ発信する手段である。
【００４７】
記憶部１６のアドレス帳情報Ｆ５１は、発信先名称データと発信先電話番号データを含んでいる。
【００４８】
記憶部１６の在席情報Ｆ４７は、各電話機毎に在席しているか否かの在席状態を示すデータである。
【００４９】
記憶部１６の発信ダイヤル情報は、アドレス帳から読み出したりダイヤルから入力された発信ダイヤルデータである。
【００５０】
図５に、ボタン電話機とボタン電話主装置との間で送受信されるデータの構成例を説明する。ボタン電話機とボタン電話主装置との間で送受信されるデータは、内線番号と、ＲＦ−ＩＤデータが記述されている。
【００５１】
図６を用いて、上記のような機能を有するボタン電話機からＲＦ―ＩＤ付きカードから読み取った発信先電話番号へダイヤル自動発信する処理を説明する。
【００５２】
電話番号を記憶したＲＦ−ＩＤ付きカード５０を、ボタン電話機２０のＲＦ−ＩＤデータ書き込み／読み出しポット２２に挿入した後、ＲＦ−ＩＤ読込キー２６を押し下げると（Ｓ１）、ＲＦ−ＩＤ読込部２２２が発信先の名称・電話番号データを読み込んで（Ｓ２）、ボタン電話主装置１０へ送信する（Ｓ３）。ボタン電話主装置１０は、受信したデータを解析して電話回線を捕捉する（Ｓ４）とともに、受信したデータをアドレス帳データとして記憶する（Ｓ５）。さらに、ボタン電話主装置１０は、ボタン電話機２０へ回線捕捉を通知する（Ｓ６）。ユーザが回線捕捉を確認して発信キー２９を押し下げると（Ｓ７）、発信キー押し下げ情報をボタン電話主装置１０へ送信する（Ｓ８）。ボタン電話主装置１０はデータから取得した発信先電話番号にダイヤル発信する（Ｓ９）とともに、ボタン電話機２０へ発信通知を送信する（Ｓ１０）。ボタン電話機２０と発信先電話機の間に通話路が形成されると（Ｓ１１）、ボタン電話機２０と発信先電話機との間で通話が行われる（Ｓ１２）。
【００５３】
このようにして、電話番号を記憶したＲＦ−ＩＤ付きカード５０をボタン電話機５０へ近づけて発信キー２９を押し下げるだけで、手動でダイヤルすることなく発信先に自動発信することができる。さらに、ボタン電話主装置１０へ送られたＲＦ−ＩＤ付きカード５０のデータを解析してアドレス帳データとして記憶することができる。
【００５４】
図７を用いて、ボタン電話主装置１０に記憶したアドレス帳データをボタン電話機２０から呼び出してＲＦ−ＩＤ付きカード５０へ書き込む処理を説明する。ボタン電話機２０に設けたＲＦ−ＩＤ書込キー２７を押し下げる（Ｓ２１）と、ボタン電話主装置１０へアドレス帳データ要求を送信する（Ｓ２２）。アドレス帳データ要求を受けたボタン電話主装置１０は、記憶部１６から当該ボタン電話機２０のアドレス帳データを読み出して（Ｓ２３）、ボタン電話機２０へ送信する（Ｓ２４）。ボタン電話機２０は、受信したアドレス帳データをＲＦ−ＩＤ書込部２２１からＲＦ−ＩＤ付きカード５０へ書き込む（Ｓ２５）。
【００５５】
このようにして、ボタン電話主装置１０に記憶したアドレス帳データをボタン電話機２０で受信し、ＲＦ−ＩＤ付きカード５０へ書き込むことができるので、このＲＦ−ＩＤ付きカードを持参すれば、ＲＦ−ＩＤ付きカード５０に記憶させたアドレス帳データを用いて別の場所の同様な機能を有するボタン電話機から自動発信することができる。
【００５６】
図８を用いて、ＲＦ−ＩＤ付きカードによる在席管理する処理を説明する。在席管理は、ユーザが個人情報を書き込んだＲＦ−ＩＤ付きカードをボタン電話機で読み込ませることにより、他のボタン電話機へ通知して在席していることを通知できる管理方法である。個人情報を記憶したＲＦ−ＩＤ付きカード５０をユーザがボタン電話機２０−１に近付け読込キー２６を押し下げると（Ｓ３１）、ＲＦ−ＩＤ付きカード５０から個人情報を読み込み（Ｓ３２）、読み込んだ個人情報をボタン電話主装置１０へ送信する（Ｓ３３）。ボタン電話主装置１０は、受信した個人情報を解析してボタン電話機２０−１にユーザが在席している情報（在席情報）を作成しボタン電話機２０−１夜とのボタン電話機２０−２へ通知する（Ｓ３５）。在席情報を受信した各ボタン電話機２０−１、２０−２は、ボタン電話機２０−１に対応する在席ＬＥＤ付きキー２４のＬＥＤを点灯して、このボタン電話機電話機２０−１にユーザが在席していることを表示する（Ｓ３６）。
【００５７】
このようにして、各ボタン電話機２０−１〜２０−ｎのユーザは、個人情報を送ったユーザがボタン電話機２０−１に在席していることを在席ＬＥＤ付きキー２４の点灯で確認することができる。
【００５８】
図９を用いて、ボタン電話機２０におけるＲＦ−ＩＤつきカードを用いた自動発信およびアドレス帳情報の獲得ならびに在席管理の処理を説明する。まずボタン電話主装置１０から在席情報を受信したか否かを判断する（Ｓ５１）。在席情報を受信していないときは、読み出しキー２６または書込キー２７が操作されたかを判断する（Ｓ５２）。読込キー２６が操作されたときには、ＲＦ−ＩＤ付きカードからデータを読み出し（Ｓ５３）、読み出した電話番号データをボタン電話主装置１０へ送信する（Ｓ５４）。回線を捕捉したボタン電話主装置１０から回線捕捉情報を受信する（Ｓ５５）と、ユーザが発信キー２９を押し下げたことを検出する発信キー押し下げ検出をボタン電話主装置１０へ通知する（Ｓ５６）。ボタン電話主装置１０は先に取得した電話番号データを用いて発信先に発信し（Ｓ５７）、発信先とボタン電話機２０との間に通話路が確立し（Ｓ５８）、両者の間で通話できる。
【００５９】
ステップＳ５２で、書込キー２７が操作された場合には、ボタン電話主装置１０にアドレス帳データの送信を要求する（Ｓ５９）。ボタン電話主装置１０は、当該ボタン電話機２０のアドレス帳からアドレス帳データをボタン電話機２０へ送信する。ボタン電話帳データを受信した（Ｓ６０）ボタン電話機２０は、ＲＦ−ＩＤ付きカード５０へアドレス帳データを書き込む（Ｓ６１）。
【００６０】
ステップＳ５１で、在席情報を受信したボタン電話機２０は、在席ＬＥＤ付きキー２４のＬＥＤを点灯して在席情報を表示する（Ｓ６２）。
【図面の簡単な説明】
【００６１】
【図１】本発明にかかるボタン電話装置を構成するボタン電話機の概観図
【図２】本発明にかかるボタン電話主装置と、ボタン電話機の構成概略図。
【図３】本発明にかかるボタン電話主装置の中央制御部と、記憶部の機能ブロック図。
【図４】ＲＦ−ＩＤデータの構成を説明する図。
【図５】ボタン電話機とボタン電話主装置との間で送受信されるデータの構成を説明する。
【図６】本発明にかかるボタン電話装置における自動ダイヤル発信のシーケンス図。
【図７】本発明にかかるボタン電話装置におけるアドレス帳データ取得のシーケンス図。
【図８】本発明にかかるボタン電話装置における在席管理のシーケンス図。
【図９】本発明にかかるボタン電話装置における自動ダイヤル発信およびアドレス帳データ取得ならびに在席表示のフローチャート。
【符号の説明】
【００６２】
１０  ボタン電話主装置
１１  中央制御部
１２  通話路スイッチ
１３  外線回路
１５  内線回路
１６  記憶部
２０  ボタン電話機
２１  送受話器
２２  ＲＦ−ＩＤデータ書込み／読込ポット
２２１  ＲＦ−ＩＤ書込部
２２２  ＲＦ−ＩＤ読込部
２３  ＬＣＤ表示器
２４  在席表示ＬＥＤ付きキー
２５  アドレス帳ダイヤルキー
２６  ＲＦ−ＩＤ読込キー
２７  ＲＦ−ＩＤ書込キー
２８  ダイヤルキー
２９  発信キー
３０  切断キー
３１  制御部
３２  データ送受信回路
３３  音声処理部
３４  スピーカ
Ｆ４０  外線回路制御手段
Ｆ４２  通話路制御手段
Ｆ４３  データ送受信手段
Ｆ４４  受信分析手段
Ｆ４５  アドレス帳情報
Ｆ４６  在席通知手段
Ｆ４７  在席情報
Ｆ４８  発着信ダイヤル情報
Ｆ４９  発信制御手段
Ｆ５０  アドレス帳発信手段
【図１】
2005318216.tif 000003
【図２】
2005318216.tif 000004
【図３】
2005318216.tif 000005
【図４】
2005318216.tif 000006
【図５】
2005318216.tif 000007
【図６】
2005318216.tif 000008
【図７】
2005318216.tif 000009
【図８】
2005318216.tif 000010
【図９】
2005318216.tif 000011